(57)【要約】【解決手段】半蓋体４の先端部に、上部噛み合わせ部材４ｅと下部噛み合わせ部材４ｆとを形成し、箱型に組み立てられた折り畳みコンテナー本体が、一対の半蓋体で被蓋された際には、一方の半蓋体の下部噛み合わせ部材の上に、もう一方の半蓋体の上部噛み合わせ部材が重なるように構成したものである。【効果】箱型に組み立てられた折り畳みコンテナー本体が、一対の半蓋体で被蓋された際には、一方の半蓋体の下部噛み合わせ部材の上に、もう一方の半蓋体の上部噛み合わせ部材が重なるように構成したので、箱型に組み立てられた蓋付き折り畳みコンテナーの一対の半蓋体の上に、物が載置されても、半蓋体が変形したり、損傷するようなことを防止することができる。【選択図】図３５
2006160315.tif 000002
【特許請求の範囲】
【請求項１】
底部と、底部にヒンジ連結された一対の長側壁と、底部にヒンジ連結されているとともに半蓋体がヒンジ連結されている一対の短側壁とを有する蓋付き折り畳みコンテナーにおいて、前記半蓋体の先端部に、上部噛み合わせ部材と下部噛み合わせ部材とを形成し、箱型に組み立てられた折り畳みコンテナー本体が、前記一対の半蓋体で被蓋された際には、前記一方の半蓋体の下部噛み合わせ部材の上に、前記もう一方の半蓋体の上部噛み合わせ部材が重なるように構成されていることを特徴とする蓋付き折り畳みコンテナー。
【請求項２】
前記下部噛み合わせ部材に形成された棒状係止部に、前記上部噛み合わせ部材に形成された下方が開放された嵌合凹部が嵌合するように構成されていることを特徴とする請求項１に記載の蓋付き折り畳みコンテナー。
【発明の詳細な説明】
【技術分野】
【０００１】
本発明は、底部を囲むように配設された側壁が、底部に重なるように折り畳むことが可能な蓋付き折り畳みコンテナーに関するものである。
【背景技術】
【０００２】
従来、平面形状が略長方形に形成された底部と、底部の相対する長辺部にヒンジ連結された長側壁と、同じく底部の相対する短辺部にヒンジ連結されているとともに、蓋がヒンジ連結された短側壁とからなる蓋付き折り畳みコンテナーが、特許文献１に開示されている。
【０００３】
上述した従来の蓋付き折り畳みコンテナーにおいては、短側壁の上端に、短側壁と略同じ大きさを有する半蓋がヒンジ連結されており、底部に対して、短側壁及び長側壁を略垂直に立てた後に、相対する短側壁のうちの一方の短側壁に重なるようにヒンジ連結されている半蓋を、箱型に組み立てられた折り畳みコンテナー本体の開口部方向に回動させて、箱型に組み立てられた折り畳みコンテナー本体の開口部の略半分を覆い、次いで、相対する短側壁のうちのもう一方の短側壁に重なるようにヒンジ連結されている半蓋を、箱型に組み立てられた折り畳みコンテナー本体の開口部方向に回動させて、箱型に組み立てられた折り畳みコンテナー本体の開口部の残りの略半分を覆うように構成されている。
【０００４】
【特許文献１】特表平８−５１０９８１号公報
【発明の開示】
【発明が解決しようとする課題】
【０００５】
上述した従来の蓋付き折り畳みコンテナーにおいては、箱型に組み立てられた折り畳みコンテナー本体の開口部を、２つの半蓋で被蓋した際に、半蓋の先端部が、当接或いは接近して位置しているだけであるので、一対の半蓋からなる蓋の上に物を載置した場合に、蓋が変形したり、損傷するという問題があった。
【０００６】
また、一対の半蓋の先端部の間に、隙間が形成されているために、箱型に組み立てられた蓋付き折り畳みコンテナー内に塵埃等が侵入するという問題があった。
【０００７】
本発明の目的は、上述した従来の蓋付き折り畳みコンテナーが有する課題を解決することにある。
【課題を解決するための手段】
【０００８】
本発明は、上述した目的を達成するために、底部と、底部にヒンジ連結された一対の長側壁と、底部にヒンジ連結されているとともに半蓋体がヒンジ連結されている一対の短側壁とを有する蓋付き折り畳みコンテナーにおいて、第１には、半蓋体の先端部に、上部噛み合わせ部材と下部噛み合わせ部材とを形成し、箱型に組み立てられた折り畳みコンテナー本体が、一対の半蓋体で被蓋された際には、一方の半蓋体の下部噛み合わせ部材の上に、もう一方の半蓋体の上部噛み合わせ部材が重なるように構成したものであり、第２には、下部噛み合わせ部材に形成された棒状係止部に、上部噛み合わせ部材に形成された下方が開放された嵌合凹部が嵌合するように構成したものである。
【発明の効果】
【０００９】
箱型に組み立てられた折り畳みコンテナー本体が、一対の半蓋体で被蓋された際には、一方の半蓋体の下部噛み合わせ部材の上に、もう一方の半蓋体の上部噛み合わせ部材が重なるように構成したので、箱型に組み立てられた蓋付き折り畳みコンテナーの一対の半蓋体の上に、物が載置されても、半蓋体が変形したり、損傷するようなことを防止することができる。
【００１０】
また、一方の半蓋体の下部噛み合わせ部材の上に、もう一方の半蓋体の上部噛み合わせ部材が重なるように配置されているので、一対の半蓋体間には、隙間が形成されるようなことがなく、従って、箱型に組み立てられた蓋付き折り畳みコンテナー内への塵埃等の侵入を防止することができる。
【００１１】
下部噛み合わせ部材に形成された棒状係止部に、上部噛み合わせ部材に形成された下方が開放された嵌合凹部が嵌合するように構成されているので、長側壁と短側壁とのロック状態が、不用意に解除された場合にも、短側壁が、内側に倒れるようなことを防止することができる。
【００１２】
また、下部噛み合わせ部材に形成された棒状係止部に、上部噛み合わせ部材に形成された下方が開放された嵌合凹部が嵌合するように構成されているので、短側壁の外側や内側への移動や抑制され、従って、安定した状態に、箱型に組み立てられた蓋付き折り畳みコンテナーを段積みすることができる。
【実施例】
【００１３】
以下に、本発明の実施例について説明するが、本発明の趣旨を越えない限り、何ら、本実施例に限定されるものではない。
【００１４】
先ず最初に、図１〜図４を用いて、本発明の蓋付き折り畳みコンテナーの全体構成について説明する。
【００１５】
本発明の蓋付き折り畳みコンテナーは、底部１と、底部１の相対する長辺側土手部１ａにヒンジ連結された長側壁２と、底部１の相対する短辺側土手部１ｂにヒンジ連結された短側壁３と、短側壁３の上端部ヒンジ連結された半蓋体４とから構成されている。また、本実施例においては、長辺側土手部１ａの高さは、短辺側土手部１ｂの高さより低く構成されている。なお、以下、便宜的に、蓋付き折り畳みコンテナーのうち、底部１と相対する長側壁２と相対する短側壁３により構成される部分、即ち、半蓋体４以外の部分を、折り畳みコンテナー本体と称する。
【００１６】
図１に示されている一対の半蓋体４で被蓋され箱型に組み立てられた状態から、先ず最初に、図２に示されているように、短側壁３にヒンジ連結されている半蓋体４を回動させて、短側壁３に重ね、次いで、長側壁２を、底部１方向に倒して、図３に示されているように、長側壁２を、底部１に重ねる。次いで、半蓋体４が重ねられている短側壁３を、底部１方向に倒して、底部１に重ねられた長側壁２に重ねることにより、図４に示されているように、蓋付き折り畳みコンテナーを、高さの低いコンパクトな状態に折り畳むことができるように構成されている。
【００１７】
図４に示されているように、蓋付き折り畳みコンテナーを、高さの低いコンパクトな状態に折り畳んだ際には、一対の半蓋体４が重ねられている短側壁３の先端同士が、互いに、当接或いは接近して位置するように構成されているとともに、短側壁３に重ねられている半蓋体４が、底部１を越えて外側に位置しないように構成されている。このように、半蓋体４が、折り畳まれた状態の蓋付き折り畳みコンテナーの底部１を越えて、外側にはみ出るようなことがないので、折り畳まれた状態の蓋付き折り畳みコンテナーの収納スペースを小さくすることができるとともに、半蓋体４が、他の蓋付き折り畳みコンテナーや他の物体に当接し、損傷するという問題を解消することができる。
【００１８】
図４に示されている折り畳まれた状態から、先ず最初に、半蓋体４が重ねられている短側壁３を略垂直に立て、次いで、長側壁２を略垂直に立てることにより、折り畳みコンテナー本体を箱型に組み立て、その後、短側壁３に重ねられている半蓋体４を、回動させて、図１に示されているように、箱型に組み立てられた折り畳みコンテナー本体が、半蓋体４で被蓋されることになる。
【００１９】
次に、主として、図５〜図７を用いて、底部１について説明する。
【００２０】
底部１は、平面形状が略長方形状の板部１ｃを有しており、板部１ｃの相対する長辺には、長辺側土手部１ａが形成されており、また、板部１ｃの相対する短辺には、短辺側土手部１ｂが形成されている。短辺側土手部１ｂの高さは、長辺側土手部１ａの高さより高く形成されている。本実施例においては、短辺側土手部１ｂが、底部１の両端まで延在し、長辺側土手部１ａが、相対する短辺側土手部１ｂ間に形成されている。
【００２１】
短辺側土手部１ｂは、底板１ｃに対して略垂直な内側垂直板部１ｂ１と、内側垂直板部１ｂ１の上端から外側に略水平方向に延在する水平板部１ｂ２と、水平板部１ｂ２の先端から下方に、内側垂直板部１ｂ１に略平行に延在する外側垂直板部１ｂ３とにより、短辺側土手部１ｂの長手方向に垂直な断面が、略逆Ｕ字状に形成されており、また、短辺側土手部１ｂの両端部は、端部板部１ｂ４により閉鎖されている。同様に、長辺側土手部１ａも、底板１ｃに対して略垂直な内側垂直板部１ａ１と、内側垂直板部１ａ１の上端から外側に略水平方向に延在する水平板部１ａ２と、水平板部１円２の先端から下方に、内側垂直板部１ａ１に略平行に延在する外側垂直板部１ａ３とにより、長辺側土手部１ａの長手方向に垂直な断面が、略逆Ｕ字状に形成されている。
【００２２】
次に、図６を用いて、短辺側土手部１ｂに形成された短辺側雌ヒンジ部材Ｈ１について説明する。なお、本実施例には、短辺側土手部１ｂに、４個の短辺側雌ヒンジ部材Ｈ１が形成されている例が示されている。
【００２３】
短辺側土手部１ｂの水平板部１ｂ２には、平面形状が長方形の縦孔ｈ１が穿設されており、また、短辺側土手部１ｂの内側垂直板部１ｂ１には、上方が開放されているとともに、底板１ｃ方向に延在する方形状の切欠き凹部ｈ２が形成されている。上記の切欠き凹部ｈ２は、縦孔ｈ１に連通されているとともに、縦孔ｈ１の長辺の略中央部に位置している。切欠き凹部ｈ２の両側に位置する内側垂直板部１ｂ１の内面（外側垂直板部１ｂ３側に位置する面）の上端部には、係止ブロックｈ３が突設されており、係止ブロックｈ３は、短辺側土手部１ｂの水平板部１ｂ２から外側垂直板部１ｂ３に向かって、外側垂直板部１ｂ３に徐々に接近するように傾斜した上部傾斜面ｈ３ａと略水平な庇部ｈ３ｂとにより構成されている。
【００２４】
上述した短辺側土手部１ｂに形成された縦孔ｈ１と切欠き凹部ｈ２と係止ブロックｈ３とにより、短辺側雌ヒンジ部材Ｈ１が構成されている。
【００２５】
短辺側土手部１ｂの両端部には、上面を下方に凹ますことにより、内側垂直板部１ｂ１側及び外側垂直板部１ｂ３側が開放された両側開放凹部１ｄが形成されており、両側開放凹部１ｄは、端部板部１ｂ４と底板１ｄ１と端部板部１ｂ４に略平行な内側部１ｄ２とにより形成されている。一方の両側開放凹部１ｄには、端部板部１ｂ４と内側部１ｄ２とを連結する係止用中間リブ１ｄ３が形成されている。このように、係止用中間リブ１ｄ３を形成することにより、一方の両側開放凹部１ｄの内側垂直板部１ｂ１側には、端部板部１ｂ４と内側部１ｄ２と係止用中間リブ１ｄ３により形成される内側開放凹部Ｃ１が形成されている。更に、短辺側土手部１ｂの両端部には、短辺側土手部１ｂの外側部分を、内側に凹ますことにより、両側開放凹部１ｄに連通する側部凹部１ｅが形成されている。なお、内側開放凹部Ｃ１は、相対する短辺側土手部１ｂの対角位置にある両側開放凹部１ｄに、それぞれ形成されている。更にまた、係止用中間リブ１ｄ３が形成されていない両側開放凹部１ｄを構成する内側部１ｄ２の上端部には、略水平な蓋用係合突部１ｄ２’が突設されている。
【００２６】
次に、主として、図７を用いて、長辺側土手部１ａに形成された長辺側雌ヒンジ部材Ｈ１’について説明する。なお、本実施例には、長辺側土手部１ａの両端部にそれぞれ１個ずつと中央部に１個の合計３個の長辺側雌ヒンジ部材Ｈ１’が形成されている例が示されている。
【００２７】
長辺側雌ヒンジ部材Ｈ１’が形成されている長辺側土手部１ａの水平板部１ａ２には、平面形状が、略コの字状の嵌合筒部ｈ４が立設されており、嵌合筒部ｈ４は、外側垂直板部１ａ３に略平行な外側長壁部ｈ４ａと、外側長壁部ｈ４ａに対して略垂直な相対する短側部ｈ４ｂと、内側垂直板部１ａ１を上方に延長することにより形成された内側長壁部ｈ４ｃとから構成されている。また、嵌合筒部ｈ４により囲まれた水平板部１ａ２は削除されているとともに、嵌合筒部ｈ４を構成する内側長壁部ｈ４ｃの中央部及び長辺側土手部１ａを構成する内側垂直板部１ａ１には、内側長壁部ｈ４ｃの上端から底板１ｃまで延在する切欠き凹部ｈ５が形成されている。更に、切欠き凹部ｈ５の両側に位置する内側長壁部ｈ４ｃの内面（外側長壁部ｈ４ａ側に位置する面）の上端部には、短辺側雌ヒンジ部材Ｈ１を構成する係止ブロックと同様の係止ブロック３が突設されている。この係止ブロックｈ３も、内側長壁部ｈ４ｃの上端部から、外側長壁部ｈ４ａに徐々に接近するように傾斜した上部傾斜面ｈ３ａと略水平な庇部ｈ３ｂとにより構成されている。
【００２８】
上述した嵌合筒部ｈ４と切欠き凹部ｈ５と係止ブロックｈ３とにより、長辺側雌ヒンジ部材Ｈ１’が構成されている。
【００２９】
図５や図７において、Ｆは、長辺側土手部１ａに形成された浮き上がり防止部材であり、浮き上がり防止部材Ｆは、長辺側土手部１ａを構成する外側垂直板部１ａ３に略平行な外側壁部ｆ１と、外側壁部ｆ１に対して略垂直な相対する側壁部ｆ２とを有しており、側壁部ｆ２の内面（相対する側壁部ｆ２が対向する面）の上端部には、略角柱状の浮き上がり防止突部ｆ３が形成されている。なお、外側壁部ｆ１と相対する側壁部ｆ２とで囲まれた長辺側土手部１ａの水平板部１ａ２を削除することもできる。このような構成を有する浮き上がり防止部材Ｆは、長辺側土手部１ａの両端部に形成された長辺側雌ヒンジ部材Ｈ１’に対して、長辺側土手部１ａの中央部寄りに形成されている。
【００３０】
なお、長辺側土手部１ａと、該長辺側土手部１ａより高さの高い短辺側土手部１ｂとにより形成される隅部には、必要に応じて、内部が中空の箱型状凸部Ｒが形成されており、このような、箱型状凸部Ｒを形成することにより、長辺側土手部１ａと短辺側土手部１ｂの接合部分を補強することができ、ひいては、底部１の剛性や強度を高めることができる。
【００３１】
なお、本実施例には、上述した箱型状凸部Ｒが形成されているので、長辺側土手部１ａの両端部に形成された長辺側雌ヒンジ部材Ｈ１’を構成する嵌合筒部ｈ４の一方の短側部ｈ４ｂは、短側部ｈ４ｂに略平行な箱型状凸部Ｒの側壁ｒ１が兼用している。
【００３２】
長辺側土手部１ａの中央部に位置する長辺側雌ヒンジ部材Ｈ１’と、該中央部に位置する長辺側雌ヒンジ部材Ｈ１’の両側に形成された浮き上がり防止部材Ｆとの間に位置する長辺側土手部１ａの水平板部１ａ２には、長辺側雌ヒンジ部材Ｈ１’を構成する嵌合筒部ｈ４の短側部ｈ４ｂ及び浮き上がり防止部材Ｆを構成する側壁部ｆ２に平行な縦リブ１ｆが立設されており、縦リブ１ｆと、縦リブ１ｆ側に位置する浮き上がり防止部材Ｆを構成する側壁部ｆ２とは、長辺側土手部１ａを構成する内側垂直板部１ａ１を上方に延在することにより形成された連結縦リブ１ｇにより連結されている。上記の縦リブ１ｆと浮き上がり防止部材Ｆを構成する側壁部ｆ２と連結縦リブ１ｇとにより、上部及び外側が開放された幅広の外側開放窪み部Ｃ２が形成されている。
【００３３】
また、上述したような縦リブ１ｆを形成することにより、長辺側土手部１ａの中央部に位置する長辺側雌ヒンジ部材Ｈ１’の短側部ｈ４ｂと、該短側部ｈ４ｂと対向する縦リブ１ｆと、長辺側土手部１ａを構成する水平板部１ａ２とにより、内側垂直板部１ａ１側及び外側垂直板部１ａ３側が開放された両側開放凹部１ｈが形成されている。
【００３４】
なお、浮き上がり防止部材Ｆと長辺側土手部１ａの両端部に位置する長辺側雌ヒンジ部材Ｈ１’との間には、幅狭な外側開放窪み部Ｃ３が形成されており、幅狭な外側開放窪み部Ｃ３は、浮き上がり防止部材Ｆの側壁部ｆ２と、上記の長辺側雌ヒンジ部材Ｈ１’の短側部ｈ４ｂと、長辺側土手部１ａを構成する内側垂直板部１ａ１を上方に延在することにより形成された連結縦リブ１ｉとにより形成されている。
【００３５】
更に、上述した幅広の外側開放窪み部Ｃ２を構成する浮き上がり防止部材Ｆの側壁部ｆ２の縦リブ１ｆ側の側面の上端部には、水平状の短側壁用係合突部１ｊが突設されている。
【００３６】
更にまた、長辺側雌ヒンジ部材Ｈ１’を構成する嵌合筒部ｈ４の外側長壁部ｈ４ａ、浮き上がり防止部材Ｆを構成する外側壁部ｆ１及び縦リブ１ｆを、それぞれ、長辺側土手部１ａを構成する外側垂直板部１ａ３より、若干、内側に配設することにより、長辺側土手部１ａの両端部に形成された相対する箱型状凸部Ｒ間に位置する底部１には、長辺側段差１ｋが形成されている。
【００３７】
なお、長辺側土手部１ａに形成された長辺側雌ヒンジ部材Ｈ１’、浮き上がり防止部材Ｆ、外側開放窪み部Ｃ２及び幅狭な外側開放窪み部Ｃ３は、短辺側土手部１ｂより、低く形成されている。
【００３８】
次に、主として、図８〜図１０を用いて、長側壁２について説明する。
【００３９】
長側壁２は、横長の略長方形状の板状部２ａを有しており、板状部２ａの上下端には、板状部２ａに略垂直で、且つ、板状部２ａの外面（図１に示されているように、蓋付き折り畳みコンテナーを箱型に組み立てた際に、蓋付き折り畳みコンテナーの外側に位置する面）２ａ１方向に延在する上端水平リブ２ｂ及び下端水平リブ２ｃが、それぞれ形成されている。また、上端水平リブ２ｂ付近に位置する板状部２ａの外面２ａ１には、上端水平リブ２ｂに平行に、上部水平リブ２ｄが形成されている。更に、板状部２ａの外面２ａ１には、上端水平リブ２ｂの両端部付近と下端水平リブ２ｃの両端部付近と上部水平リブ２ｄの両端を、それぞれ連結する側部垂直リブ２ｅが形成されている。更に、上端水平リブ２ｂの先端の中央領域には、所定の長さに亘たって切欠き凹部２ｂ１が形成されており、更にまた、上端水平リブ２ｂと上部水平リブ２ｄとの間に位置する側部垂直リブ２ｅには、切欠き凹部２ｅ１が形成されている。
【００４０】
上述した上端水平リブ２ｂ、下端水平リブ２ｃ、上部水平リブ２ｄ及び側部垂直リブ２ｅは、同じ奥行高さ（板状部２ａの外面２ａ１から、各リブの先端までの高さ）に形成されている。
【００４１】
上述した側部垂直リブ２ｄの外側に位置する板状部２ａには、縦長の帯状係合枠２ｆが形成されている。また、上部水平リブ２ｄより下方に位置する帯状係合枠２ｆの外面２ａ１には、略箱型状の上部嵌合凸部２ｇが形成されており、上部嵌合凸部２ｇは、板状部２ａの垂直端から、板状部２ａに垂直に延在する垂直側板２ｇ１と、垂直側板２ｇ１の上下端から、側部垂直リブ２ｅ方向に延在する相対する水平板２ｇ２とから構成されており、相対する水平板２ｇ２の先端と側部垂直リブ２ｅとの間には、間隙２ｈが形成されている。
【００４２】
上部嵌合凸部２ｇの下方に位置する帯状係合枠２ｆの外面２ａ１には、縦長の略箱型状の下部嵌合凸部２ｉが形成されており、下部嵌合凸部２ｉは、板状部２ａの垂直端から、板状部２ａに垂直に延在する垂直側板２ｉ１と、垂直側板２ｉ１の上下端から、側部垂直リブ２ｅ方向に延在し、側部垂直リブ２ｅに連結されている相対する水平板２ｉ２とから構成されており、下方に位置する水平板２ｉ２は、下端水平リブ２ｃ付近に位置している。なお、２ｉ３は、垂直側板２ｉ１の略中間部と側部垂直リブ２ｅの略中間部を連結する水平連結リブである。
【００４３】
上述した上部嵌合凸部２ｇと下部嵌合凸部２ｉの高さ（板状部２ａの外面２ａ１からの高さ）は、略同じで、且つ、上部嵌合凸部２ｇと下部嵌合凸部２ｉの高さは、側部垂直リブ２ｅの奥行高さより、若干、低く形成されている。
【００４４】
上端水平リブ２ｂの下面には、側部垂直リブ２ｅから所定の距離を置いて、垂直リブ２ｊが垂設されており、垂直リブ２ｊの下端と側部垂直リブ２ｅとは、水平短リブ２ｋにより連結されており、水平短リブ２ｋには、所定の間隔を置いて、一対の嵌合透孔２ｋ１が穿設されている。なお、２ｋ２は、必要に応じて形成される、上端水平リブ２ｂと水平短リブ２ｋとを連結する補強用連結垂直リブである。上記の一対の嵌合透孔２ｋ１が穿設されている水平短リブ２ｋは、長側壁２の両端部付近に、一対形成されている。また、上部水平リブ２ｄの両端部付近には、水平短リブ２ｋに穿設された一対の嵌合透孔２ｋ１に対向して、同じく、一対の嵌合透孔２ｄ１が穿設されている。
【００４５】
２ｍは、相対する垂直リブ２ｊ間に位置するとともに、且つ、垂直リブ２ｊの下端付近に位置する板状部２ａの外面２ａ１に突設された弾性条片用支持突部であり、弾性条片用支持突片２ｍは、所定の間隔を置いて、一対形成されている。また、弾性条片用支持突片２ｍ間に位置する板状部２ａの外面２ａ１には、板状部２ａに略垂直に、所定の間隔を置いて、一対の突片２ｎが形成されており、相対する突片２ｎの対向する垂直側面には、略三角柱状の係合ブロック２ｐが突設されている。
【００４６】
上端水平リブ２ｂの両端部付近に位置する上面には、平面形状が略コの字状の嵌合突部２ｑが、所定の間隔を置いて、一対突設されている。本実施例においては、嵌合突部２ｑは、板状部２ａに略平行な外壁部２ｑ１と、外壁部２ｑ１に略垂直な相対する側壁部２ｑ２とから形成されており、先端部に向かって細くなるように構成されている。また、板状部２ａの外面２ａ１には、必要に応じて、垂直リブ２ｒや水平リブ２ｓを形成することができる。なお、２ｔは、上端水平リブ２ｂと上部水平リブ２ｄとを連結する、高さの低い補強用の連結リブであり、適宜、省略することができる。
【００４７】
また、上端水平リブ２ｂと板状部２ａにより形成される角部の一部を削除することにより、上端水平リブ２ｂ及び板状部２ａにより形成される角部の中央部には、透孔２ｕが穿設されている。
【００４８】
次に、長側壁２の下端水平リブ２ｃの下面に形成された雄ヒンジ部材Ｈ２’について説明する。
【００４９】
雄ヒンジ部材Ｈ２’は、所定の間隔をおいて、且つ、下端水平リブ２ｃの長手方向に対して垂直に、下端水平リブ２ｃの下面に垂設されてた複数の板状の支持片ｈ１０ａを有しており、板状の支持片ｈ１０ａの板状部２ａ側の垂直端は、板状部２ａを下方に延在することにより形成された連結板ｈ１０ｂにより連結されている。上記の支持片ｈ１０ａと連結板ｈ１０ｂとにより、雄ヒンジ基部ｈ１０が構成されている。なお、本実施例には、３枚の支持片ｈ１０ａが、下端水平リブ２ｃの下面に垂設されている例が示されている。また、雄ヒンジ基部ｈ１０の下端には、ヒンジブロックｈ１１が形成されており、ヒンジブロックｈ１１の下面ｈ１１ａは、円弧状面として形成されており、ヒンジブロックｈ１１の上面（下端水平リブ２ｃと相対する面）ｈ１１ｂは、下端水平リブ２ｃと略平行な平坦面として形成されている。ヒンジブロックｈ１１の一部は、雄ヒンジ基部ｈ１０の両端から突出しており、また、雄ヒンジ基部ｈ１０の両端から突出したヒンジブロックｈ１１の連結板ｈ１０ｂ側の上面ｈ１１ｂには、係合突部ｈ１２が突設されている。
【００５０】
上述した構成を有する雄ヒンジ部材Ｈ２’は、上述した底部１の長辺側土手部１ａに形成された長辺側雌ヒンジ部材Ｈ１’に対応して、長辺側雌ヒンジ部材Ｈ１’と同じ数、形成されている。本実施例においては、底部１の長辺側土手部１ａに形成された３個の長辺側雌ヒンジ部材Ｈ１’に対応して、３個の雄ヒンジ部材Ｈ２’が形成されている。
【００５１】
Ｂは、中央に位置する雄ヒンジ部材Ｈ２’の両側に位置する下端水平リブ２ｃの下面に垂設された略箱型状の盲突部である。盲突部Ｂは、長辺側雌ヒンジ部材Ｈ１’を構成する支持片ｈ１０ａと略平行な相対する側壁部ｂ１と、側壁部ｂ１の下端を連結する水平部ｂ２と、長側壁３の板状部２ａを下方に延在することにより形成された奥壁部ｂ３とにより構成されている。また、盲突部Ｂは、蓋付き折り畳みコンテナーを、図１に示されているように、箱型に組み立てた際に、上述した底部１の長辺側土手部１ａの中央部に位置する長辺側雌ヒンジ部材Ｈ１’の短側部ｈ４ｂと該短側部ｈ４ｂと対向する縦リブ１ｆと長辺側土手部１ａを構成する水平板部１ａ２とにより形成された両側開放凹部１ｈに挿入されるように構成されている。蓋付き折り畳みコンテナーを箱型に組み立てた際に、底部１の長辺側土手部１ａに形成された両側開放凹部１ｈに、盲突部Ｂが挿入するように構成されているので、箱型に組み立てられた蓋付き折り畳みコンテナー内に収納された物品が、両側開放凹部１ｈから排出されるようなことを防止することができる。
【００５２】
また、下端水平リブ２ｃの下面には、上述した底部１の長辺側土手部１ａに形成された浮き上がり防止部材Ｆに対応して、浮き上がり防止用係止部材Ｅが垂設されている。防止用係合部材Ｅは、板状部２ａを下方に延在することにより形成された垂直部ｅ１と、垂直部ｅ１の下端から、下端水平リブ２ｃと略平行に延在する水平な係合部ｅ２とから形成されている。なお、ｅ３は、下端水平リブ２ｃと水平な係合部ｅ２とを連結する補強連結リブである。
【００５３】
次に、主として、図１１〜図１４を用いて、短側壁３について説明する。
【００５４】
短側壁３は、横長の略長方形状の板状部３ａを有しており、板状部３ａの上下端には、板状部３ａに略垂直で、且つ、板状部３ａの外面（図１に示されているように、蓋付き折り畳みコンテナーを箱型に組み立てた際に、蓋付き折り畳みコンテナーの外側に位置する面）３ａ１方向に延在する上端水平リブ３ｂ及び下端水平リブ３ｃが、それぞれ形成されている。また、板状部３ａの両垂直端には、上端水平リブ３ｂの両端と下端水平リブ３ｃの両端を連結するとともに、板状部３ａに略垂直な側端垂直リブ３ｄが形成されている。
【００５５】
また、側端垂直リブ３ｄを、板状部３ａの内面（図１に示されているように、蓋付き折り畳みコンテナーを箱型に組み立てた際に、蓋付き折り畳みコンテナーの内側に位置する面）３ａ２に対して略垂直に延在することにより、板状部３ａの両垂直端には、縦長で帯板状の係合枠３ｅが形成されている。係合枠３ｅの内面３ｅ１の上端部には、係合枠３ｅの幅（板状部３ａの内面３ａ２に対して垂直方向の幅）Ｄ１と同じ幅を有する箱型状突部３ｅ２が突設されており、また、箱型状突部３ｅ２の下面先端には、係合枠３ｅに略平行に、且つ、係合枠３ｅの幅Ｄ１と同じ幅を有する略方形状の板状係止部３ｅ３が垂設されている。このようにして、係合枠３ｅには、係合枠３ｅの内面３ｅ１と箱型状突部３ｅ２の下面と板状係止部３ｅ３とにより、前方と下方が開放された係合凹部３ｅ４が形成されている。
【００５６】
箱型状突部３ｅ２の位置する係合枠３ｅの内面３ｅ１の中程には、係合枠３ｅの幅Ｄ１と同じ幅を有する箱型状嵌合部３ｆが形成されており、箱型状嵌合部３ｆは、係合枠３ｅの内面３ｅ１に垂直な天板３ｆ１と、該天板３ｆ１に対向して位置する底板３ｆ２と、係合枠３ｅの先端から、板状部３ａに沿って略平行に延在する側板３ｆ３とを有している。また、箱型状嵌合部３ｆには、天板３ｆ１と底板３ｆ２と側板３ｆ３と板状部３ａの内面３ａ２と係合枠３ｅの内面３ｅ１とにより囲まれた嵌合凹部３ｆ’が形成されており、この嵌合凹部３ｆ’には、折り畳みコンテナー本体を箱型に組み立てた際に、長側壁２の帯状係合枠２ｆの外面２ａ１に突設された上部嵌合凸部２ｇが挿入されるように構成されている。また、箱型状嵌合部３ｆの天板３ｆ１と板状係止部３ｅ３との間には、係合凹部３ｅ４に通ずる挿通口３ｇが形成されている。更に、箱型状嵌合部３ｆの底板３ｆ２の下面には、係合枠３ｅに対して略垂直な係合凸条３ｆ２’が突設されている。
【００５７】
上端水平リブ３ｂの下方付近に位置する板状部３ａの外面３ａ１には、上端水平リブ３ｂに平行で、且つ、相対する側端垂直リブ３ｄにその両端が連結された上部水平リブ３ｈが形成されている。また、側端垂直リブ３ｄ付近に位置する板状部３ａの外面３ａ１には、側端垂直リブ３ｄに平行で、且つ、上端水平リブ３ｂと下端水平リブ３ｃにその両端が連結された側部区画垂直リブ３ｉが形成されている。更に、側端垂直リブ３ｄと側部区画垂直リブ３ｉとは、上部区画水平リブ３ｊと下部区画水平リブ３ｋとにより連結されている。そして、短側壁３の上部角部付近には、板状部３ａと側端垂直リブ３ｄと側部区画垂直リブ３ｉと上部水平リブ３ｈと上部区画水平リブ３ｊとにより区画された上部嵌合凹部３ｍが形成されており、同様に、短側壁３の下部角部付近には、板状部３ａと側端垂直リブ３ｄと側部区画垂直リブ３ｉと下端水平リブ３ｃと下部区画水平リブ３ｋとにより区画された下部嵌合凹部３ｎが形成されている。更に、側端垂直リブ３ｄと側部区画垂直リブ３ｉとの間に位置する下端水平リブ３ｃには、下端水平リブ３ｃの先端部を一部切除することにより、切欠き凹部３ｃ１が形成されている。なお、３ｐは、上端水平リブ３ｂと上部水平リブ３ｈとを連結する補強用の垂直短リブであり、適宜、省略することもできる。
【００５８】
短側壁３の下端水平リブ３ｃの下面には、底部１の短辺側土手部１ｂに形成された短辺側雌ヒンジ部材Ｈ１に対応して、雄ヒンジ部材Ｈ２が形成されている。この短側壁３の下端水平リブ３ｃの下面に形成された雄ヒンジ部材Ｈ２は、上述した長側壁２の下端水平リブ２ｃの下面に形成された雄ヒンジ部材Ｈ２’と実質的に同じ構成を有している。即ち、短側壁３の下端水平リブ３ｃの下面に形成された雄ヒンジ部材Ｈ２も、支持片ｈ１０ａと連結板ｈ１０ｂとにより構成される雄ヒンジ基部ｈ１０及び雄ヒンジ基部ｈ１０の下端に形成されたヒンジブロックｈ１１を有しており、また、雄ヒンジ基部ｈ１０の両端から突出したヒンジブロックｈ１１の連結板ｈ１０ｂ側の上面ｈ１１ｂには、係合突部ｈ１２が突設されている。
【００５９】
次に、短側壁３の上端水平リブ３ｂの上面に形成された、蓋用雌ヒンジ片側部材Ｈ３’について説明する。本実施例には、上端水平リブ３ｂの両端部にそれぞれ形成された蓋用雌ヒンジ片側部材（以下、便宜的に、端部蓋用雌ヒンジ片側部材と称し、符号Ｈ３ｅを用いる。）と、端部蓋用雌ヒンジ片側部材Ｈ３ｅの間に形成された２個の蓋用雌ヒンジ片側部材（以下、便宜的に、中間蓋用雌ヒンジ片側部材と称し、符号Ｈ３ｉを用いる。）との合計４個の蓋用雌ヒンジ片側部材Ｈ３’が形成されている例が示されている。
【００６０】
蓋用雌ヒンジ片側部材Ｈ３’は、上端水平リブ３ｂの先端から、上端水平リブ３ｂに対して略垂直に立設された垂直部ｈ２０ａと、垂直部ｈ２０ａの上端から、上端水平リブ３ｂに略平行に延在する水平部ｈ２０ｂとからなる、側面形状（上端水平リブ３ｂの長手方向から見た形状）が略Ｊ字状の基部（以下、単に、Ｊ字状基部という。）ｈ２０を有している。
【００６１】
中間蓋用雌ヒンジ片側部材Ｈ３ｉを構成するＪ字状基部ｈ２０の両端部に位置する水平部ｈ２０ｂの下面には、上部突起部ｈ２１ａが垂設されており、上部突起部ｈ２１ａの下方に位置する上端水平リブ３ｂの上面には、下部突起部ｈ２１ｂが立設されており、上部突起部ｈ２１ａと下部突起部ｈ２１ｂとにより、軸挟持部ｈ２１が形成されている。また、端部蓋用雌ヒンジ片側部材Ｈ３ｅの中間蓋用雌ヒンジ片側部材Ｈ３ｉ側のＪ字状基部ｈ２０の端部付近に位置する上端水平リブ３ｂの上面には、先端が、Ｊ字状基部ｈ２０の水平部ｈ２０ｂに向かって延在する突起部ｈ２２ａを有する挟持板ｈ２２が形成されており、Ｊ字状基部ｈ２０の水平部ｈ２０ｂと挟持板ｈ２２とにより、上記の軸挟持部ｈ２１と同様の軸挟持部ｈ２３が形成されている。
【００６２】
本実施例には、中間蓋用雌ヒンジ片側部材Ｈ３ｉの両端部のうち、一方の端部には、上部突起部ｈ２１ａと下部突起部ｈ２１ｂとからなる軸挟持部ｈ２１が形成され、もう一方の端部には、挟持板ｈ２２を有する軸挟持部ｈ２３が形成された例が示されているが、両端部に、上部突起部ｈ２１ａと下部突起部ｈ２１ｂとからなる軸挟持部ｈ２１を形成することも、或いは、挟持板ｈ２２を有する軸挟持部ｈ２３を形成することもできる。また、端部蓋用雌ヒンジ片側部材Ｈ３ｅには、挟持板ｈ２２を有する軸挟持部ｈ２３が形成されている例が示されているが、端部蓋用雌ヒンジ片側部材Ｈ３ｅに、上部突起部ｈ２１ａと下部突起部ｈ２１ｂとからなる軸挟持部ｈ２１を形成することもできる。なお、ｈ２４は、Ｊ字状基部ｈ２０と上端水平リブ３ｂとを連結する補強用リブであり、ｈ２５は、端部蓋用雌ヒンジ片側部材Ｈ３ｅと中間蓋用雌ヒンジ片側部材Ｈ３ｉ及び中間蓋用雌ヒンジ片側部材Ｈ３ｉ同士を連結する補強用連結リブであり、上端水平リブ３ｂの先端に沿った上端水平リブ３ｂの上面に立設されている。
【００６３】
上述した端部蓋用雌ヒンジ片側部材Ｈ３ｅと該端部蓋用雌ヒンジ片側部材Ｈ３ｅと隣り合う中間蓋用雌ヒンジ片側部材Ｈ３ｉとにより、また、隣り合う一対の中間蓋用雌ヒンジ片側部材Ｈ３ｉとにより、蓋用雌ヒンジ部材Ｈ３が形成されることになる。本実施例には、３個の蓋用雌ヒンジ部材Ｈ３が形成されている例が示されている。
【００６４】
次に、図１５〜図１８を用いて、半蓋体４について説明する。
【００６５】
半蓋体４は、短側壁３の板状部３ａと略同じ大きさを有している。半蓋体４は、略長方形状の板状部４ａを有しており、板状部４ａの周縁部を額縁状に残して、板状部４ａの中央領域を上面から下方に向かって凹ますことにより、板状部４ａの中央領域には、略垂直な周壁部４ｂ１と底部４ｂ２とからなる窪み部４ｂが形成されている。
【００６６】
板状部４ａの一方の長辺４ａ１には、板状部４ａの裏面（箱型に組み立てられた蓋付き折り畳みコンテナーを、半蓋体４で被蓋した際に、内側に位置する面）４ａ’に垂直な垂下リブ（以下、雄ヒンジ取付け用垂下リブという。）４ｃ１が形成されており、雄ヒンジ取付け用垂下リブ４ｃ１には、蓋用雄ヒンジ部材Ｈ４が形成されている。本実施例には、上述した短側壁３の上端水平リブ３ｂに形成された３個の蓋用雌ヒンジ部材Ｈ３に対応して、３個の蓋用雄ヒンジ部材Ｈ４が形成されている例が示されている。
【００６７】
蓋用雄ヒンジ部材Ｈ４は、板状部４ａに略垂直で、且つ、板状部４ａの上面（箱型に組み立てられた蓋付き折り畳みコンテナーを、半蓋体４で被蓋した際に、外側に位置する面）４ａ”から、若干、突出するように、雄ヒンジ取付け用垂下リブ４ｃ１に形成された基部ブロックｈ３０と、基部ブロックｈ３０の上端に、雄ヒンジ取付け用垂下リブ４ｃ１に沿って形成された略円筒状の円筒状主部ｈ３１と、円筒状主部ｈ３１の相対する端面ｈ３１ａの中央部に、端面ｈ３１ａに垂直に立設された短軸ｈ３２とから構成されている。
【００６８】
板状部４ａのもう一方の長辺４ａ２には、板状部４ａの裏面４ａ’に垂設な長辺側垂下リブ４ｄ１が形成されており、長辺側垂下リブ４ｄ１は、上述した雄ヒンジ取付け用垂下リブ４ｃ１より高く形成されている。また、長辺側垂下リブ４ｄ１の両端は、板状部４ａの相対する短辺４ａ３より内側に位置しており、長辺側垂下リブ４ｄ１の両端には、長辺側垂下リブ４ｄ１に対して垂直で、且つ、雄ヒンジ取付け用垂下リブ４ｃ１方向に延在する短辺側垂下リブ４ｄ２が連接されており、長辺側垂下リブ４ｄ１と相対する短辺側垂下リブ４ｄ２とにより、略コの字状の挿入枠４ｄが形成されている。略コの字状の挿入枠４ｄは、箱型に組み立てられた折り畳みコンテナー本体を、半蓋体４に被蓋する際に、箱型に組み立てられた折り畳みコンテナー本体の開口部に嵌合されるように構成されており、半蓋体４に形成された挿入枠４ｄが、箱型に組み立てられた折り畳みコンテナー本体の開口部に嵌合されることにより、半蓋体４の水平方向の移動が抑制されることになる。
【００６９】
長辺側垂下リブ４ｄ１の前面のうち、一方の半分領域（図１５において、右側に位置する右半分領域）の略上半分には、板状部４ａを延在することにより形成された天板４ｅ１と、天板４ｅ１の先端から垂下された前側板４ｅ２と、前側板４ｅ２の両端と長辺側垂下リブ４ｄ１とを連結する相対する端板４ｅ３とから形成された横長の上部噛み合わせ部材４ｅが形成されている。上部噛み合わせ部材４ｅには、天板４ｅ１と前側板４ｅ２と相対する端板４ｅ３と長辺側垂下リブ４ｄ１とにより囲まれた、下方が開放された嵌合凹部４ｅ’が形成されている。
【００７０】
また、長辺側垂下リブ４ｄ１の前面のうち、もう一方の半分領域（図１５において、左側に位置する左半分領域）の略下半分には、長辺側垂下リブ４ｄ１に垂直な横長の帯状板４ｆ１と、帯状板４ｆ１の先端付近の上面に、長辺側垂下リブ４ｄ１に沿って形成された棒状係止部４ｆ２とからなる下部噛み合わせ部材４ｆが形成されている。なお、上部噛み合わせ部材４ｅの長辺側垂下リブ４ｄ１からの突出長さと下部噛み合わせ部材４ｆの長辺側垂下リブ４ｄ１からの突出長さとは、略同じに形成されている。
【００７１】
板状部４ａの相対する短辺４ａ３には、板状部４ａの裏面４ａ’に垂設で、且つ、上述した雄ヒンジ取付け用垂下リブ４ｃ１と同じ高さを有する短辺側垂下リブ４ｃ２が形成されている。
【００７２】
蓋用雄ヒンジ部材Ｈ４付近に位置する板状部４ａの両角部には、板状部４ａを上方に膨出させることにより、方形状の天板４ｇ１と４つの側板４ｇ２とからなる嵌合カップ部材４ｇが形成されており、嵌合カップ部材４ｇの板状部４ａの裏面４ａ’側には挿入口４ｇ３が形成されている。
【００７３】
板状部４ａの相対する短辺４ａ３のうちの一方の短辺４ａ３と上部噛み合わせ部材４ｅを構成する前側板４ｅ２とで形成される角部付近に位置する板状部４ａの上面４ａ”には、短辺４ａ３に沿って形成された相対する側板４ｈ１と、相対する側板４ｈ１の嵌合カップ部材４ｇ側に位置する先端を連結する奥板４ｈ２と、天板４ｈ３とからなる蓋ロック嵌合部材４ｈが形成されている。蓋ロック嵌合部材４ｈの奥板４ｈ２と相対する側部には、挿入口４ｈ４が形成されているとともに、天板４ｈ３の下方に位置する板状部４ａには、略方形状の透孔４ｈ５が穿設されており、このような透孔４ｈ５を穿設することにより、挿入口４ｈ４の前面には、板状部４ａの一部を形成する架橋状係止枠４ａ４が形成されている。本実施例においては、架橋状係止枠４ａ４の上面には、板状部４ａを薄く削除することにより、凹部４ａ４’が形成されている。更に、相対する側板４ｈ１のうち、内側に位置する側板４ｈ１の上端部には、底部用係合突部４ｈ１’が形成されている。
【００７４】
板状部４ａの相対する短辺４ａ３のうちのもう一方の短辺４ａ３と下部噛み合わせ部材４ｆ付近に位置する長辺側垂下リブ４ｄ１とで形成される角部付近に位置する板状部４ａには、上記のもう一方の短辺４ａ３に略平行なスリット４ｉが穿設されている。また、スリット４ｉ付近の板状部４ａの上面４ａ”には、スリット４ｉを挟むように、平面形状がコの字状のガイド凸条部４ｊが形成されており、ガイド凸条部４ｊは、上記のもう一方の短辺４ａ３に略平行な相対する側部凸条４ｊ１と、相対する側部凸条４ｊ１の嵌合カップ部材４ｇ側に位置する端部を連結する連結凸条４ｊ２とから形成されている。
【００７５】
短側壁３と半蓋体４とのヒンジ連結は、短側壁３に形成された蓋用雌ヒンジ部材Ｈ３の軸挟持部ｈ２１及び／又は軸挟持部ｈ２３に、半蓋体４に形成された蓋用雄ヒンジ部材Ｈ４の短軸ｈ３２を嵌入することにより行われる。なお、短側壁３と半蓋体４とのヒンジ連結は、上述したような構成を有する蓋用雌ヒンジ部材Ｈ３と蓋用雄ヒンジ部材Ｈ４とに限定されることなく、公知の種々のヒンジ部材を適用することができる。
【００７６】
次に、図１９及び図２０を用いて、蓋用ロック部材５について説明する。
【００７７】
蓋用ロック部材５は、細長な板状の本体部５ａと、本体部５ａの下面５ａ’の略中央部に形成されたフック５ｂを有している。フック５ｂは、本体部５ａの下面の略中央部に垂設された垂直部５ｂ１と、垂直部５ｂ１の下端から、細長な本体部５ａの長手方向に延在する略水平な係合部５ｂ２とを有しているとともに、本体部５ａの長辺側面５ａ１と略平行な垂直部５ｂ１の相対する側面には、略水平状の係止凸条５ｂ３が形成されている。本体部５ａの上面５ａ”の略中央部には、飛び出し防止用突起５ｃが立設されており、また、フック５ｂの係合部５ｂ２の前方に位置する本体部５ａの下面５ａ’には、乗り越え突起５ｄが垂設されている。なお、フック５ｂの係合部５ｂ２と同じ方向に位置する本体部５ａの先端部が、上述した半蓋体４に形成された蓋ロック嵌合部材４ｈの挿入口４ｈ４に挿入される挿入部分５ａ２であり、挿入部分５ａ２の上面には、山形状の肉厚部５ａ２’が形成されている。また、挿入部分５ａ２と反対側に位置する部分が、蓋用ロック部材５を移動させるために、作業者の指を当てる操作部分５ａ３であり、操作部分５ａ３には、本体部５ａの長辺側面５ａ１に略垂直な凸条５ｅを、適当数、形成することが好ましい。
【００７８】
次に、図１５〜図２１を用いて、半蓋体４への蓋用ロック部材５の取付けについて説明する。
【００７９】
半蓋体４の板状部４ａの上面４ａ”側から、半蓋体４の板状部４ａに穿設されたスリット４ｉに、蓋用ロック部材５のフック５ｂを挿入し、蓋用ロック部材５の本体部５ａの下面５ａ’と垂直部５ｂ１の相対する側面に突設された係止凸条５ｂ３との間に、半蓋体４の板状部４ａを挟持するとともに、蓋用ロック部材５の本体部５ａを、半蓋体４の板状部４ａの上面４ａ”に形成された平面形状がコの字状のガイド凸条部４ｊ内に配置する。このように、半蓋体４の板状部４ａを、蓋用ロック部材５の本体部５ａの下面５ａ’と係止凸条５ｂ３とで挟持することにより、蓋用ロック部材５が、スリット４ｉから離脱するのを防止することができるとともに、蓋用ロック部材５のスリット４ｉに沿った移動を円滑に行うことができる。蓋用ロック部材５は、フック５ｂを構成する係合部５ｂ２が、半蓋体４の下部噛み合わせ部材４ｆ側に位置するように、半蓋体４に取り付けられる。
【００８０】
また、上述したように、蓋用ロック部材５の本体部５ａを、半蓋体４の板状部４ａの上面４ａ”に形成された平面形状がコの字状のガイド凸条部４ｊ内に配置したことにより、蓋用ロック部材５の外周を保護することができ、従って、蓋用ロック部材５が、他の蓋付き折り畳みコンテナーや他の物体に当接して損傷するようなことを防止することができる。
【００８１】
次に、図２２及び図２３を用いて、長側壁２に取り付けられる側壁用ロック部材６について説明する。
【００８２】
側壁用ロック部材６は、横長の前板６ａ１と、前板６ａ１の両端から、前板６ａ１に対して略垂直で、且つ、後方に延在する側板６ａ２とからなる本体部６ａを有している。また、前板６ａ１には、前板６ａ１の中央領域を、後方に膨出させることにより、天板６ｂ１と底板６ｂ２と相対する側板６ｂ３と奥板６ｂ４とからなる、前方が開放された箱型状把手部６ｂが形成されているとともに、相対する側板６ｂ３付近に位置する奥板６ｂ４には、側板６ｂ３に沿って、一対のスリット６ｂ５が形成されている。更に、箱型状把手部６ｂを構成する相対する側板６ｂ３の上端部には、本体部６ａの側板６ａ２に向かって、斜め方向で下方に延在する弾性条片６ｃが、それぞれ形成されている。更にまた、箱型状把手部６ｂを構成する相対する側板６ｂ３の下端と本体部６ａを構成する側板６ａ２の下端とは、底板６ｂ２と面一な下端水平板６ｄにより連結されている。
【００８３】
また、本体部６ａを構成する側板６ａ２には、側板６ａ２に対して垂直な水平腕部６ｅが延在しており、水平腕部６ｅは、下端水平板６ｄを延在することにより形成された下部水平板６ｅ１と、下部水平板６ｅ１と略平行な上部水平板６ｅ２と、下部水平板６ｅ１と上部水平板６ｅ２の先端同士を連結する垂直端板６ｅ３と、下部水平板６ｅ１の前板６ａ１側の先端と上部水平板６ｅ２の前板６ａ１側の先端とを連結する横長の垂直閉鎖板６ｅ４とで構成されている。
【００８４】
上述した側壁用ロック部材６の水平腕部６ｅを構成する垂直端板６ｅ３には、垂直端板６ｅ３に対して垂直な係合部６ｆが突設されている。係合部６ｆは、水平底板６ｆ１と、水平底板６ｆ１の前端（本体部６ａを構成する前板６ａ１側）から後方に向かって上り坂状態の傾斜板６ｆ２と、略三角形状の端板６ｆ３とから形成されている。
【００８５】
次に、図２４及び図２５を用いて、側壁用ロック部材６を、長側壁２に取り付けるためのロック部材取付用カバー部材７について説明する。
【００８６】
ロック部材取付用カバー部材７は、正面形状が略方形状の板状の本体部７ａを有しており、本体部７ａの上端には、本体部７ａに垂直な板状の上端水平部７ｂが形成されているとともに、本体部７ａの下端には、本体部７ａに垂直で、上端水平部７ｂと略平行な板状の下端水平部７ｃが形成されている。また、上端水平部７ｂの下方に位置する本体部７ａには、上端水平部７ｂと略平行な板状の上部水平部７ｃが形成されており、上端水平部７ｂと上部水平部７ｃとの間には、上部嵌合用間隙Ｄ２が形成されている。同様に、下端水平部７ｃの上方に位置する本体部７ａには、下端水平部７ｃと略平行な板状の下部水平部７ｅが形成されており、下端水平部７ｃと下部水平部７ｅとの間には、下部嵌合用間隙Ｄ３が形成されている。更に、上端水平部７ｂの下面には、本体部７ａに沿って、所定の間隔を置いて、嵌合突起７ｂ１が垂設されており、同様に、下端水平部７ｃの上面には、本体部７ａに沿って、所定の間隔を置いて、嵌合突起７ｃ１が突設されている。
【００８７】
次に、長側壁２への側壁用ロック部材６及びロック部材取付用カバー部材７の取り付けについて説明する。
【００８８】
先ず最初に、側壁用ロック部材６の相対する側板６ｂ３に形成されている弾性条片６ｃの自由端部を、長側壁２の板状部２ａに突設された弾性条片用支持突片２ｍの上面に載置するとともに、側壁用ロック部材６の本体部６ａを、長側壁２の上端水平リブ２ｂと上部水平リブ２ｄと相対する垂直リブ２ｊにより形成される空間部に挿入し、更に、側壁用ロック部材６の水平腕部６ｅを、上部水平リブ２ｄと水平短リブ２ｋとにより形成される空間部に挿入し、更にまた、側壁用ロック部材６の係合部６ｆを、側部垂直リブ２ｅに形成された切欠き凹部２ｅ１に挿入する。この際、側壁用ロック部材６の係合部６ｆは、傾斜板６ｆ２が前面に位置するとともに、長側壁２の帯状係合枠２ｆと対向するように配置する。同時に、長側壁２に形成されている略三角柱状の係合ブロック２ｐを、箱型状把手部６ｂを形成する奥板６ｂ４に穿設されたスリット６ｂ５に挿通するとともに、係合ブロック２ｐの先端部を奥板６ｂ４に係合させる。なお、上述したように、側壁用ロック部材６を、長側壁２に配置した際には、側壁用ロック部材６を構成する係合部６ｆの先端が、長側壁２の帯状係合枠２ｆを越えて、外側にはみ出さないように構成されている。
【００８９】
上述したように、側壁用ロック部材６を、長側壁２に配置した後、長側壁２に、以下のようにして、ロック部材取付用カバー部材７を取り付ける。
【００９０】
ロック部材取付用カバー部材７の上端水平部７ｂと上部水平部７ｃとの間に形成された上部嵌合用間隙Ｄ２に、長側壁２の水平短リブ２ｋを挿入するとともに、ロック部材取付用カバー部材７の下端水平部７ｃと下部水平部７ｅとの間に形成された下部嵌合用間隙Ｄ３に、長側壁２の上部水平リブ２ｄを挿入することにより、長側壁２の水平短リブ２ｋに穿設された嵌合透孔２ｋ１に、上部嵌合用間隙Ｄ２を形成する上端水平部７ｂの下面に垂設された嵌合突起７ｂ１を嵌合し、同様に、長側壁２の上部水平リブ２ｄに穿設された嵌合透孔２ｄ１に、下部嵌合用間隙Ｄ３を形成する下端水平部７ｃの上面に突設された嵌合突起７ｃ１を嵌合することにより、ロック部材取付用カバー部材７を、長側壁２に取り付ける。
【００９１】
上述したように、ロック部材取付用カバー部材７を、長側壁２に取り付けることにより、側壁用ロック部材６が、長側壁２に配設されることになる。そして、ロック部材取付用カバー部材７を介して、長側壁２に取り付けられた側壁用ロック部材６の弾性条片６ｃの自由端部は、長側壁２に形成された弾性条片用支持突片２ｍの上面に載置されており、側壁用ロック部材６に下方への負荷がかからない通常の状態においては、図２６に示されているように、側壁用ロック部材６の上面は、長側壁２の上端水平リブ２ｂの下面に当接或いは接近して位置するとともに、側壁用ロック部材６の下面と上部水平リブ２ｄとの間には、側壁用ロック部材６が、所定量、下動可能な間隙が形成されている。
【００９２】
次に、主として、図２７〜図２９を用いて、底部１の長辺側土手部１ａに形成された長辺側雌ヒンジ部材Ｈ１’と長側壁２に形成された雄ヒンジ部材Ｈ２’による底部１と長側壁２のヒンジ連結について説明する。
【００９３】
底部１と長側壁２とをヒンジ連結するには、長側壁２を、底部１と略平行になるように、略水平状態に配置し、その後、その状態を維持したまま、ヒンジブロックｈ１１及び雄ヒンジ基部ｈ１０を、嵌合筒部ｈ４及び切欠き凹部ｈ５に挿入するとともに、長側壁２と底部１とを略水平状態に維持したまま、長側壁２を、底部１に向かって下降させると、ヒンジブロックｈ１１は、切欠き凹部ｈ２の両側に位置する内側垂直板部１ｂ１の内面の上端部に形成されたフックｈ３の下方に位置することになる。このように、最初に、底部１にヒンジ連結された長側壁２は、上述したように、切欠き凹部ｈ５が、嵌合筒部ｈ４を構成する内側長壁部ｈ４ｃの上端から底板１ｃまで延在しているので、図２８に示されているように、長側壁２が略水平状態に、且つ、板状部２ａの内面（図１に示されているように、蓋付き折り畳みコンテナーを箱型に組み立てた際に、蓋付き折り畳みコンテナーの内側に位置する面）２ａ２の略全面が、底部１の底板１ｃの上面に当接することになる。同様にして、もう一方の長側壁２を、底部１にヒンジ連結することになるが、もう一方の長側壁２は、図２９に示されているように、略水平状態に、且つ、板状部２ａの内面２ａ２の略全面が、底部１の底板１ｃの上面に当接している、先にヒンジ連結された長側壁２の上に、略水平状態に重ねられるように構成されている。
【００９４】
上述したように、先にヒンジ連結された一方の長側壁２が、その板状部２ａのその内面２ａ２の略全面が、底部１の底板１ｃの上面に当接し、また、後からヒンジ連結されたもう一方の長側壁２が、先にヒンジ連結された一方の長側壁２の略水平状に重ねられている図２８及び図２９に示されている状態は、図３に示されているように、相対する長側壁２が折り畳まれた状態に相当する。
【００９５】
折り畳みコンテナーが折り畳まれた状態から、略水平状態の長側壁２を、略垂直に立てると、図３０に示されているように、長側壁２の下端水平リブ２ｃが、底部１の長辺側土手部１ａに形成されている長辺側雌ヒンジ部材Ｈ１’を構成する嵌合筒部ｈ４、浮き上がり防止部材Ｆを構成する外側壁部ｆ１や側壁部ｆ２及び外側開放窪み部Ｃ２を構成する縦リブ１ｆや連結縦リブ１ｇ等に載置されることになる。この状態では、長辺側雌ヒンジ部材Ｈ１’のヒンジブロックｈ１１に形成された係合突部ｈ１２が、底部１の長辺側土手部１ａに形成された長辺側雌ヒンジ部材Ｈ１’を構成するフックｈ３の庇部ｈ３ｂから所定の距離Ｄ４を置いて、庇部ｈ３ｂの下方に位置することになる。従って、図３０に示されているように、長側壁２が略垂直に立てられた状態においては、長側壁２を持ち上げると、底部１がそのままで、長側壁２のみが、上記の係合突部ｈ１２とフックｈ３の庇部ｈ３ｂとの距離Ｄ４だけ、底部１から浮き上がることになる。
【００９６】
ところで、略水平状態の長側壁２を、上述したように略垂直に立てる過程において、図３１に示されているように、長側壁２の下端水平リブ２ｃの下面に垂設された浮き上がり防止用係止部材Ｅを構成する係合部ｅ２が、底部１の長辺側土手部１ａに形成された浮き上がり防止部材Ｆを構成する浮き上がり防止突部ｆ３の下面ｆ３’に、実質的に当接して位置するように構成されている。従って、略垂直に立てられた状態の長側壁２が持ち上げられても、長側壁２の下端水平リブ２ｃに形成された浮き上がり防止用係止部材Ｅの係合部ｅ２が、底部１の長辺側土手部１ａに形成された浮き上がり防止部材Ｆの防止突部ｆ３の下面ｆ３’に、実質的に当接しているので、長側壁２が、底部１から浮き上がるようなことを防止することができる。
【００９７】
更に、略水平状態の長側壁２を、上述したように略垂直に立てる過程において、長側壁２の下端水平リブ２ｃの下面に垂設された略箱型状の盲突部Ｂが、底部１の長辺側土手部１ａの中央部に位置する長辺側雌ヒンジ部材Ｈ１’の短側部ｈ４ｂと該短側部ｈ４ｂと対向する縦リブ１ｆと長辺側土手部１ａを構成する水平板部１ａ２とにより形成された両側開放凹部１ｈに嵌合されるように構成されている。このように、蓋付き折り畳みコンテナーを、箱型に組み立てた際には、底部１の長辺側土手部１ａに形成された両側開放凹部１ｈに、長側壁２の下端水平リブ２ｃに垂設された盲突部Ｂが嵌合するので、箱型に組み立てられた蓋付き折り畳みコンテナーに収容された物品が、両側開放凹部１ｈから排出されるようなことを防止することができる。
【００９８】
また、底部１の短辺側土手部１ｂに形成された短辺側雌ヒンジ部材Ｈ１と短側壁３に形成された雄ヒンジ部材Ｈ２とがヒンジ連結されることになるが、底部１と短側壁３とのヒンジ連結方法は、上述した底部１の長辺側土手部１ａに形成された長辺側雌ヒンジ部材Ｈ１’と長側壁２に形成された雄ヒンジ部材Ｈ２’のヒンジ連結と同じであるので、その説明は省略する。
【００９９】
ところで、底部１の短辺側土手部１ｂに形成された短辺側雌ヒンジ部材Ｈ１は、長辺側土手部１ａに形成された長辺側雌ヒンジ部材Ｈ１’に比べて、内側に位置するように構成されている。このように形成することにより、蓋付き折り畳みコンテナーを箱型に組み立てて、短側壁３を略垂直に立てた状態においては、短側壁３の仮想外面（上端水平リブ３ｂや下端水平リブ３ｃや上側端垂直リブ３ｄや上部水平リブ３ｈや側部区画垂直リブ３ｉ等の先端により形成される仮想面）３’は、図２６等の示されているように、底部１の短辺側土手部１ｂを構成する外側垂直板部１ｂ３より、所定の距離Ｄ５だけ、内側に位置するように形成されている。
【０１００】
そして、上述したように、短側壁３の仮想外面３’を、底部１の短辺側土手部１ｂを構成する外側垂直板部１ｂ３より、所定の距離Ｄ５だけ、内側に位置するように構成することにより、一対の半蓋体４により、箱型に組み立てられた折り畳みコンテナー本体の開口部を被蓋した際には、一対の半蓋体４の長辺側垂下リブ４ｄ１間には、上記の距離Ｄ５の略２倍の間隙が形成され、この間隙には、上述した下部噛み合わせ部材４ｆ及び上部噛み合わせ部材４ｅが噛み合った状態で、換言すれば、一方の半蓋体４の下部噛み合わせ部材４ｆの上に、もう一方の半蓋体４の上部噛み合わせ部材４ｅが重なった状態で配置されるように構成されている。
【０１０１】
次に、図１〜図４及び図３２〜図３４を用いて、長側壁２と短側壁３とのロック工程及びロック解除工程について説明する。
【０１０２】
図４に示されているように、蓋付き折り畳みコンテナーが折り畳まれた状態から、先ず最初に、ヒンジ連結された半蓋体４が重ねられている短側壁３を回動させて、図３に示されているように、略垂直に立てる。
【０１０３】
次いで、底部１に重なるようにして折り畳まれている長側壁２を、垂直方向に回動させると、長側壁２の帯状係合枠２ｆが、短側壁３の係合枠３ｅに対向するように接近し、更に、長側壁２を、垂直方向に回動させると、長側壁２の上部嵌合凸部２ｇの先端部が、短側壁３の箱型状嵌合部３ｆの嵌合凹部３ｆ’に挿入されることになる。なお、長側壁２の上部嵌合凸部２ｇの先端部が、短側壁３の箱型状嵌合部３ｆの嵌合凹部３ｆ’に挿入された際には、箱型状嵌合部３ｆの側板３ｆ３が、上部嵌合凸部２ｇの相対する水平板２ｇ２の先端と側部垂直リブ２ｅとの間に形成された間隙２ｈに挿入されるように構成されている。この上部嵌合凸部２ｇの箱型状嵌合部３ｆの嵌合凹部３ｆ’への挿入過程と前後して、図３２に示されているように、側壁用ロック部材６の係合部６ｆに形成されている傾斜板６ｆ２が、短側壁３の箱型状突部３ｅ２の下面先端に垂設された板状係止部３ｅ３に当接することになる。その後、更に、長側壁２を、垂直方向に回動させると、側壁用ロック部材６は、その自由端部が、長側壁２に形成された弾性条片用支持突片２ｍの上面に載置されている弾性条片６ｃの弾性変形による弾性力に抗して、下動する。この側壁用ロック部材６の下動により、側壁用ロック部材６の係合部６ｆは、係合部６ｆが、板状係止部３ｅ３の下端を過ぎた時点で、短側壁３の係合枠３ｅに形成された挿通口３ｇに入るとともに、側壁用ロック部材６に配設されている弾性条片６ｃの復元力により、側壁用ロック部材６が上動し、係合部６ｆが、板状係止部３ｅ３の背後に位置する係合凹部３ｅ４に入り込み、且つ、長側壁２の上部嵌合凸部２ｇが、完全に、短側壁３の箱型状嵌合部３ｆの嵌合凹部３ｆ’に挿入されることになる。このようにして、折り畳まれた状態の折り畳みコンテナー本体が、箱型に組み立てられることになる。なお、このようにして、折り畳みコンテナー本体が、箱型に組み立てられた際には、長側壁２の帯状係合枠２ｆに形成されている下部嵌合凸部２ｉは、短側壁３の係合枠３ｅに形成されている箱型状嵌合部３ｆの下方に位置するように構成されている。
【０１０４】
上述したように、箱型に組み立てられた状態から、長側壁２に、長側壁２を底部１方向に倒すような外力が加わっても、長側壁２に取り付けられた側壁用ロック部材６の係合部６ｆが、短側壁３の箱型状突部３ｅ２の下面先端に垂設された板状係止部３ｅ３に当接し、従って、長側壁２の底部１方向への回動が阻止されることになる。
【０１０５】
図１に示されているように、箱型に組み立てられた蓋付き折り畳みコンテナーの折り畳みコンテナー本体を折り畳むには、先ず最初に、側壁用ロック部材６の箱型状把手部６ｂに手を入れて、作業者が、側壁用ロック部材６を、弾性条片６ｃの弾性力に抗して下動させて、側壁用ロック部材６の係合部６ｆを、短側壁３に形成された板状係止部３ｅ３の背後に位置する係合凹部３ｅ４から排出させて、係合部６ｆを、板状係止部３ｅ３の下端以下に位置させる。次いで、長側壁２を、底部１方向に倒して、底部１に重ねる。次いで、短側壁３を底部１方向に倒して、底部１に重ねられている長側壁２の上に重ねることにより、箱型に組み立てられた折り畳みコンテナー本体を折り畳むことができる。
【０１０６】
次に、図３５〜図３８を用いて、箱型に組み立てられた折り畳みコンテナー本体への短側壁３にヒンジ連結された半蓋体４の被蓋について説明する。
【０１０７】
折り畳みコンテナー本体が、箱型に組み立てられた後、図２に示されている左側に位置している短側壁３に重なっている半蓋体４を、蓋用雌ヒンジ部材Ｈ３と蓋用雄ヒンジ部材Ｈ４とによるヒンジ連結部を中心に回動させて、図３６に示されているように、一対の半蓋体４を、その先端部が互いに接近するように、山形に配置する。次いで、一対の半蓋体４を、一方の半蓋体４の下部噛み合わせ部材４ｆの上方に、もう一方の半蓋体４の上部噛み合わせ部材４ｅが載置されるように、一方の半蓋体４の下部噛み合わせ部材４ｆともう一方の半蓋体４の上部噛み合わせ部材４ｅとを噛み合わせる。このようにして、箱型に組み立てられた折り畳みコンテナー本体の開口部を、一対の半蓋体４で被蓋するが、この一対の半蓋体４の被蓋作業の際には、図３５に示されているように、蓋用ロック部材５の挿入部分５ａ２側の先端は、半蓋体４の先端から引っ込んだ位置にある。
【０１０８】
また、一対の半蓋体４は、同一に構成されているので、箱型に組み立てられた折り畳みコンテナー本体の開口部を、一対の半蓋体４で被蓋した際には、図３９に示されているように、一方の半蓋体４に取り付けられた蓋用ロック部材５の挿入部分５ａ２が、もう一方の半蓋体４に形成されている蓋ロック嵌合部材４ｈの挿入口４ｈ４に対向するように構成されている。
【０１０９】
上述したように、一対の半蓋体４により、箱型に組み立てられた折り畳みコンテナー本体の開口部を被蓋した際には、一対の半蓋体４の長辺側垂下リブ４ｄ１間には、上記の距離Ｄ５の略２倍の間隙が形成され、この間隙には、上述した下部噛み合わせ部材４ｆ及び上部噛み合わせ部材４ｅが噛み合うように、換言すれば、一方の半蓋体４の下部噛み合わせ部材４ｆの上に、もう一方の半蓋体４の上部噛み合わせ部材４ｅが重なるように配置されているので、箱型に組み立てられた蓋付き折り畳みコンテナーの一対の半蓋体４の上に、物が載置されても、半蓋体４が変形したり、損傷するようなことを防止することができる。
【０１１０】
また、一方の半蓋体４の下部噛み合わせ部材４ｆの上に、もう一方の半蓋体４の上部噛み合わせ部材４ｅが重なるように配置されているので、一対の半蓋体４間には、隙間が形成されるようなことがなく、従って、箱型に組み立てられた蓋付き折り畳みコンテナー内への塵埃等の侵入を防止することができる。
【０１１１】
上述したように、一方の半蓋体４の下部噛み合わせ部材４ｆともう一方の半蓋体４の上部噛み合わせ部材４ｅとが噛み合うように、箱型に組み立てられた折り畳みコンテナー本体の開口部を、一対の半蓋体４で被蓋した際には、図３６に示されているように、下部噛み合わせ部材４ｆの棒状係止部４ｆ２が、上部噛み合わせ部材４ｅの嵌合凹部４ｅ’内に位置するとともに、棒状係止部４ｆ２と長辺側垂下リブ４ｄ１との間に形成された溝部４ｆ’に、上部噛み合わせ部材４ｅの前側板４ｅ２が挿入されるように構成されている。このように構成することにより、略垂直に立てられている相対する短側壁３が、互いに離反する方向に倒れようとした際には、上部噛み合わせ部材４ｅの前側板４ｅ２が、下部噛み合わせ部材４ｆの棒状係止部４ｆ２に引っ掛かり、従って、相対する短側壁３が、互いに離反する方向へ倒れることを防止することができる。また、長側壁２と短側壁３との側壁用ロック部材６によるロック状態が、不用意に解除された場合にも、短側壁３が、内側に倒れるようなことを防止することができる。
【０１１２】
更に、上述したように、棒状係止部４ｆ２と長辺側垂下リブ４ｄ１との間に形成された溝部４ｆ’に、上部噛み合わせ部材４ｅの前側板４ｅ２が挿入されるように構成されているので、短側壁３の外側や内側への移動や抑制され、従って、安定した状態に、箱型に組み立てられた蓋付き折り畳みコンテナーを段積みすることができる。
【０１１３】
また、箱型に組み立てられた折り畳みコンテナー本体の開口部を、一対の半蓋体４で被蓋した際には、図１４及び図３８に示されているように、長側壁２の上端水平リブ２ｂの両端部付近の上面に突設された嵌合突部２ｑが、半蓋体４に形成された嵌合カップ部材４ｇに嵌合されるように構成されている。このように、長側壁２の上端水平リブ２ｂに突設された嵌合突部２ｑが、半蓋体４に形成された嵌合カップ部材４ｇに嵌合されているので、長側壁２と短側壁３との側壁用ロック部材６によるロック状態が、不用意に解除された場合にも、長側壁２が、底部１方向に倒れるようなことを防止することができる。
【０１１４】
更に、上述したように、長側壁２の上端水平リブ２ｂに突設された嵌合突部２ｑが、半蓋体４に形成された嵌合カップ部材４ｇに嵌合されているので、箱型に組み立てられた蓋付き折り畳みコンテナーの剛性や強度が向上するとともに、箱型に組み立てられた蓋付き折り畳みコンテナーを、上下方向に段積みした場合に、長側壁２の内側或いは外側への移動が抑制され、従って、安定した状態に、箱型に組み立てられた蓋付き折り畳みコンテナーを段積みすることができる。
【０１１５】
上述したように、箱型に組み立てられた折り畳みコンテナー本体の開口部を、一対の半蓋体４で被蓋した際には、半蓋体４に取り付けられた蓋用ロック部材５のフック５ｂが、長側壁２の上端水平リブ２ｂと板状部２ａにより形成される角部の中央部に穿設された透孔２ｕに挿入されるように構成されている。
【０１１６】
上述したように、箱型に組み立てられた折り畳みコンテナー本体の開口部を、一対の半蓋体４で被蓋した後、一方の半蓋体４に取り付けられた蓋用ロック部材５を、もう一方の半蓋体４に形成されている蓋ロック嵌合部材４ｈ方向に進出させて、蓋用ロック部材５の挿入部分５ａ２を、もう一方の半蓋体４に形成されている蓋ロック嵌合部材４ｈの挿入口４ｈ４に挿入するが、この蓋用ロック部材５の挿入部分５ａ２の蓋ロック嵌合部材４ｈの挿入口４ｈ４への挿入の際には、図４０に示されているように、蓋用ロック部材５の本体部５ａの下面５ａ’に垂設された乗り越え突起５ｄが、挿入口４ｈ４の前面に位置する架橋状係止枠４ａ４を乗り越えるとともに、蓋用ロック部材５の本体部５ａの下面５ａ’に垂設されたフック５ｂの係合部５ｂ２が、長側壁２の上端水平リブ２ｂの下面２ｂ２に、当接或いは接近して位置するように構成されている。従って、箱型に組み立てられた折り畳みコンテナー本体の開口部を被蓋している一対の半蓋体４が、蓋用雌ヒンジ部材Ｈ３と蓋用雄ヒンジ部材Ｈ４とによるヒンジ連結部を中心に、回動しようとしても、蓋用ロック部材５の本体部５ａの下面５ａ’に垂設されたフック５ｂの係合部５ｂ２が、長側壁２の上端水平リブ２ｂの下面２ｂ２に、当接或いは接近して位置するように構成されているので、半蓋体４が回動し、折り畳みコンテナー本体の開口部が開放されるようなことを防止することができる。このようにして、蓋用ロック部材５により、箱型に組み立てられた折り畳みコンテナー本体の開口部を被蓋した半蓋体４がロックされることになる。同時に、一方の半蓋体４に取り付けられた蓋用ロック部材５の挿入部分５ａ２が、もう一方の半蓋体４に形成されている蓋ロック嵌合部材４ｈに挿入されているので、半蓋体４が回動し、折り畳みコンテナー本体の開口部が開放されるようなことを、より確実に防止することができる。
【０１１７】
上述したように、箱型に組み立てられた折り畳みコンテナー本体の開口部が、一対の半蓋体４により被蓋され、一方の半蓋体４に取り付けられた蓋用ロック部材５の挿入部分５ａ２が、もう一方の半蓋体４に形成された蓋ロック嵌合部材４ｈに挿入された際には、蓋用ロック部材５に形成された乗り越え突起５ｄが、蓋ロック嵌合部材４ｈの挿入口４ｈ４の前面に位置する架橋状係止枠４ａ４を乗り越えて位置しているので、一方の半蓋体４に取り付けられた蓋用ロック部材５の挿入部分５ａ２が、もう一方の半蓋体４に形成された蓋ロック嵌合部材４ｈから排出しようとしても、蓋用ロック部材５に形成された乗り越え突起５ｄが、架橋状係止枠４ａ４に当接するので、簡単に、一方の半蓋体４に取り付けられた蓋用ロック部材５の挿入部分５ａ２が、もう一方の半蓋体４に形成された蓋ロック嵌合部材４ｈから排出して、蓋用ロック部材５による蓋用ロック部材５と長側壁２の上端水平リブ２ｂとによる蓋ロック状態が解除されるようなことを防止することができる。
【０１１８】
図１に示されている箱型に組み立てられた蓋付き折り畳みコンテナーを、図４に示されているように、折り畳む際には、先ず最初に、一方の半蓋体４に取り付けられた蓋用ロック部材５の操作部分５ａ３の凸条５ｅに指を当てて、蓋用ロック部材５を、平面形状がコの字状のガイド凸条部４ｊの連結凸条４ｊ２方向に移動させて、図３９に示されているように、挿入部分５ａ２を、もう一方の半蓋体４に形成された蓋ロック嵌合部材４ｈから排出させる。その後、長側壁２の上端水平リブ２ｂに形成されてた切欠き凹部２ｂ１に位置する、一方或いは両方の半蓋体４の先端部の下面に、半蓋体４の下から指を当てて、一方或いは両方の半蓋体４の先端部を持ち上げることにより、一方の半蓋体４の下部噛み合わせ部材４ｆともう一方の半蓋体４の上部噛み合わせ部材４ｅとの噛み合わせを解除するとともに、半蓋体４を、蓋用雌ヒンジ部材Ｈ３と蓋用雄ヒンジ部材Ｈ４とによるヒンジ連結部を中心に回動させて、半蓋体４を、略垂直状態の短側壁３に重ねる。半蓋体４が、短側壁３に重ねられた際には、半蓋体４に形成された嵌合カップ部材４ｇは、短側壁３に形成されている上部嵌合凹部３ｍに挿入されるように構成されている。
【０１１９】
次いで、上述したように、長側壁２に取り付けられている側壁用ロック部材６を下動させて、側壁用ロック部材６の係合部６ｆを、短側壁３に形成された係合凹部３ｅ４から排出させて、長側壁２を、底部１方向に倒して底部１に重ねる。その後、短側壁３を底部１方向に倒して、底部１に重ねられている長側壁２の上に重ねることになるが、この際に、短側壁３の係合枠３ｅの内面３ｅ１に形成されている箱型状突部３ｅ２と板状係止部３ｅ３が、底部１の長辺側土手部１ａの中央部に位置する長辺側雌ヒンジ部材Ｈ１’の側方に形成されている両側開放凹部１ｈに挿入されるとともに、短側壁３の係合枠３ｅの内面３ｅ１に形成されている箱型状嵌合部３ｆが、底部１の長辺側土手部１ａに形成されている外側開放窪み部Ｃ２に挿入されるように構成されている。
【０１２０】
また、上述したように、半蓋体４が重ねられている短側壁３を、略水平に倒した際には、図４１に示されているように、短側壁３に形成されている箱型状嵌合部３ｆの底板３ｆ２の下面に垂設された係合凸条３ｆ２’が、底部１の長辺側土手部１ａに形成されている浮き上がり防止部材Ｆを構成する側壁部ｆ２の縦リブ１ｆ側の側面に突設された短側壁用係合突部１ｊとが当接することになるが、この状態から、更に、半蓋体４が重ねられている短側壁３を、強制的に、底部１に接近させることにより、短側壁３に形成されている係合凸条３ｆ２’が、底部１の長辺側土手部１ａに形成されている短側壁用係合突部１ｊを越えて下方に移動し、短側壁用係合突部１ｊの下方に位置するように構成されている。このように、短側壁３が倒された際には、短側壁３に形成されている係合凸条３ｆ２’が、底部１の長辺側土手部１ａに形成されている短側壁用係合突部１ｊの下方に位置しているので、短側壁３が上動しようとしても、短側壁３に形成されている係合凸条３ｆ２’が、底部１の長辺側土手部１ａに形成されている短側壁用係合突部１ｊに当接し、従って、短側壁３の上動が阻止されることになり、折り畳まれた状態の蓋付き折り畳みコンテナーの運搬中や搬送中に、短側壁３が、がたつくようなことが防止できる。
【０１２１】
更に、上述したように、半蓋体４が重ねられている短側壁３が、略水平に倒された際には、半蓋体４の蓋ロック嵌合部材４ｈを構成する側板４ｈ１の上端部に形成されている底部用係合突部４ｈ１’が、底部１の係止用中間リブ１ｄ３が形成されていない両側開放凹部１ｄを構成する内側部１ｄ２に形成されている蓋用係合突部１ｄ２’に当接することになるが、この状態から、更に、半蓋体４の先端部を、強制的に、底部１に接近させることにより、半蓋体４に形成されている底部用係合突部４ｈ１’が、底部１に形成されている蓋用係合突部１ｄ２’を越えて下方に移動し、底部用係合突部４ｈ１’が、蓋用係合突部１ｄ２’の下方に位置するとともに、半蓋体４の蓋ロック嵌合部材４ｈが、底部１の係止用中間リブ１ｄ３が形成されていない両側開放凹部１ｄに挿入されるように構成されている。このように、短側壁３が倒された際には、半蓋体４に形成されている底部用係合突部４ｈ１’が、底部１に形成されている蓋用係合突部１ｄ２’の下方に位置しているので、半蓋体４が上動しようとしても、半蓋体４に形成されている底部用係合突部４ｈ１’が、底部１に形成されている蓋用係合突部１ｄ２’に当接し、従って、半蓋体４の上動が阻止されることになり、折り畳まれた状態の蓋付き折り畳みコンテナーの運搬中や搬送中に、半蓋体４が、がたつくようなことが防止できる。
【０１２２】
更にまた、半蓋体４が重ねられている短側壁３が、略水平に倒された際には、半蓋体４に取り付けられた蓋用ロック部材５及びガイド凸条部４ｊが、短側壁３の下部角部付近に形成された下部嵌合凹部３ｎ及び短側壁３の側端垂直リブ３ｄと側部区画垂直リブ３ｉとの間に位置する下端水平リブ３ｃに形成された切欠き凹部３ｃ１に挿入されるとともに、蓋用ロック部材５及びガイド凸条部４ｊの先端部が、端部板部１ｂ４と内側部１ｄ２と係止用中間リブ１ｄ３により形成された、底部１の一方の端部付近に形成された内側開放凹部Ｃ１に挿入されるように構成されている。このように、蓋用ロック部材５及びガイド凸条部４ｊが、短側壁３に形成された下部嵌合凹部３ｎ、短側壁３の下端水平リブ３ｃに形成された切欠き凹部３ｃ１及び底部１に形成された内側開放凹部Ｃ１に挿入された際には、図３７及び図３９に示されているように、蓋用ロック部材５の挿入部分５ａ２側の先端が、半蓋体４の先端から引っ込んだ位置にあるが、この状態から、蓋用ロック部材５が、底部１の短辺側土手部１ｂを構成する外側垂直板部１ｂ３方向に移動しようとした場合には、蓋用ロック部材５の本体部５ａの上面５ａ”に突設された飛び出し防止用突起５ｃが、切欠き凹部３ｃ１が形成されている短側壁３の下端水平リブ３ｃに当接し、従って、蓋用ロック部材５が、底部１の短辺側土手部１ｂを構成する外側垂直板部１ｂ３を越えて外側に飛び出さないように構成されている。このように構成することにより、蓋用ロック部材５が、底部１の短辺側土手部１ｂを構成する外側垂直板部１ｂ３を越えて外側に飛び出て、蓋用ロック部材５が損傷するようなことを防止することができる。
【０１２３】
なお更に、半蓋体４が重ねられている短側壁３が、略水平に倒された際に、蓋用ロック部材５が、底部１の短辺側土手部１ｂを構成する外側垂直板部１ｂ３方向に移動しようとした場合には、蓋用ロック部材５の挿入部分５ａ２側の先端が、上述した底部１の一方の端部付近に形成された内側開放凹部Ｃ１を構成する係止用中間リブ１ｄ３に当接し、半蓋体４の先端が、底部１の短辺側土手部１ｂを構成する外側垂直板部１ｂ３を越えて外側に飛び出さないように構成されている。このように構成することにより、蓋用ロック部材５が、底部１の短辺側土手部１ｂの外側垂直板部１ｂ３を越えて外側に飛び出て、蓋用ロック部材５が損傷するようなことを防止することができる。
【０１２４】
折り畳みコンテナー本体が箱型に組み立てられ、且つ、半蓋体４が、短側壁３に重ねられている状態においては、半蓋体４に形成された蓋ロック嵌合部材４ｈが、短辺側土手部１ｂの両端部に形成された側部凹部１ｅの一方の側部凹部１ｅに挿入されるように構成されており、また、蓋用ロック部材５及びガイド凸条部４ｊの半分程度が、もう一方の側部凹部１ｅに挿入されるように構成されている。
【０１２５】
また、蓋付き折り畳みコンテナーが、図４に示されているように、折り畳まれた際には、短側壁３に形成された帯板状の係合枠３ｅが、底部１に形成された長辺側段差１ｋに嵌合するように構成されている。
【図面の簡単な説明】
【０１２６】
【図１】図１は、本発明の蓋付き折り畳みコンテナーが箱型に組み立てられた状態の斜視図である。
【図２】図２は、本発明の蓋付き折り畳みコンテナーの一方の半蓋体が略垂直に立てられた状態の斜視図である。
【図３】図３は、本発明の蓋付き折り畳みコンテナーの長側壁が倒された状態の斜視図である。
【図４】図４は、本発明の蓋付き折り畳みコンテナーが折り畳まれた状態の斜視図である。
【図５】図５は、本発明の蓋付き折り畳みコンテナーを構成する底部の斜視図である。
【図６】図６は、本発明の蓋付き折り畳みコンテナーを構成する底部の短辺側土手部の部分拡大斜視図である。
【図７】図７は、本発明の蓋付き折り畳みコンテナーを構成する底部の長辺側土手部の部分拡大斜視図である。
【図８】図８は、本発明の蓋付き折り畳みコンテナーを構成する長側壁の斜視図である。
【図９】図９は、本発明の蓋付き折り畳みコンテナーを構成する長側壁の部分拡大斜視図である。
【図１０】図１０は、本発明の蓋付き折り畳みコンテナーを構成する底部と長側壁の部分拡大斜視図である。
【図１１】図１１は、本発明の蓋付き折り畳みコンテナーを構成する短側壁の外側から見た斜視図である。
【図１２】図１２は、本発明の蓋付き折り畳みコンテナーを構成する短側壁の内側から見た斜視図である。
【図１３】図１３は、本発明の蓋付き折り畳みコンテナーを構成する底部と短側壁の部分拡大斜視図である。
【図１４】図１４は、本発明の蓋付き折り畳みコンテナーが箱型に組み立てられた状態の一部垂直断面を含む部分拡大斜視図である。
【図１５】図１５は、本発明の蓋付き折り畳みコンテナーを構成する半蓋体を上面から見た斜視図である。
【図１６】図１６は、同じく、本発明の蓋付き折り畳みコンテナーを構成する半蓋体を上面から見た斜視図である。
【図１７】図１７は、本発明の蓋付き折り畳みコンテナーを構成する半蓋体を下面から見た斜視図である。
【図１８】図１８は、同じく、本発明の蓋付き折り畳みコンテナーを構成する半蓋体を下面から見た斜視図である。
【図１９】図１９は、本発明の蓋付き折り畳みコンテナーを構成する蓋用ロック部材を上面から見た斜視図である。
【図２０】図２０は、本発明の蓋付き折り畳みコンテナーを構成する蓋用ロック部材を下面から見た斜視図である。
【図２１】図２１は、本発明の蓋付き折り畳みコンテナーが箱型に組み立てられた状態の一部垂直断面を含む部分拡大斜視図である。
【図２２】図２２は、本発明の蓋付き折り畳みコンテナーを構成する側壁用ロック部材を前面から見た斜視図である。
【図２３】図２３は、本発明の蓋付き折り畳みコンテナーを構成する側壁用ロック部材を裏面から見た斜視図である。
【図２４】図２４は、本発明の蓋付き折り畳みコンテナーを構成するロック部材取付用カバー部材を前面から見た斜視図である。
【図２５】図２５は、本発明の蓋付き折り畳みコンテナーを構成するロック部材取付用カバー部材を裏面から見た斜視図である。
【図２６】図２６は、本発明の蓋付き折り畳みコンテナーの長側壁側からの正面図である。
【図２７】図２７は、本発明の蓋付き折り畳みコンテナーの底部と長側壁のヒンジ連結を説明するための部分垂直断面である。
【図２８】図２８は、本発明の蓋付き折り畳みコンテナーの底部と長側壁のヒンジ連結された状態の部分垂直断面である。
【図２９】図２９は、同じく、本発明の蓋付き折り畳みコンテナーの底部と長側壁のヒンジ連結された状態の部分垂直断面である。
【図３０】図３０は、本発明の蓋付き折り畳みコンテナーの底部と略垂直に立てられた長側壁のヒンジ連結部分の部分垂直断面である。
【図３１】図３１は、本発明の蓋付き折り畳みコンテナーの底部と略垂直に立てられた長側壁の浮き上がり防止部材付近の部分垂直断面である。
【図３２】図３２は、本発明の蓋付き折り畳みコンテナーの長側壁と短側壁のロック過程を説明するための長側壁や短側壁等の部分斜視図である。
【図３３】図３３は、同じく、本発明の蓋付き折り畳みコンテナーの長側壁と短側壁のロック過程を説明するための長側壁や短側壁等の部分斜視図である。
【図３４】図３４は、同じく、本発明の蓋付き折り畳みコンテナーの長側壁と短側壁のロック過程を説明するための長側壁や短側壁等の部分斜視図である。
【図３５】図３５は、本発明の蓋付き折り畳みコンテナーを構成する半蓋体による被蓋過程を説明するための一対の半蓋体の部分斜視図である。
【図３６】図３６は、本発明の蓋付き折り畳みコンテナーを構成する半蓋体による被蓋状態を説明するための一対の半蓋体の部分垂直断面図である。
【図３７】図３７は、本発明の蓋付き折り畳みコンテナーを構成する半蓋体による被蓋状態を説明するための一対の半蓋体の部分斜視図である。
【図３８】図３８は、本発明の蓋付き折り畳みコンテナーを構成する半蓋体による被蓋状態を説明するための一部垂直断面を含む部分斜視図である。
【図３９】図３９は、本発明の蓋付き折り畳みコンテナーを構成する半蓋体による被蓋状態を説明するための部分垂直断面図である。
【図４０】図４０は、同じく、本発明の蓋付き折り畳みコンテナーを構成する半蓋体による被蓋状態を説明するための部分垂直断面図である。
【図４１】図４１は、本発明の蓋付き折り畳みコンテナーが折り畳まれた状態の部分垂直断面図である。
【符号の説明】
【０１２７】
Ｈ１・・・・・・・・・・短辺側雌ヒンジ部材
Ｈ１’・・・・・・・・・長辺側雌ヒンジ部材
Ｈ２、Ｈ２’・・・・・・雄ヒンジ部材
Ｈ３・・・・・・・・・・蓋用雌ヒンジ部材
Ｈ４・・・・・・・・・・蓋用雄ヒンジ部材
１・・・・・・・・・・・底部
１ａ・・・・・・・・・・長辺側土手部
１ｂ・・・・・・・・・・短辺側土手部
２・・・・・・・・・・・長側壁
２ｂ・・・・・・・・・・帯状係合枠
３・・・・・・・・・・・短側壁
３ｅ・・・・・・・・・・係合枠
４・・・・・・・・・・・半蓋体
４ｅ・・・・・・・・・・上部噛み合わせ部材
４ｆ・・・・・・・・・・下部噛み合わせ部材
４ｇ・・・・・・・・・・嵌合カップ部材
４ｈ・・・・・・・・・・蓋ロック嵌合部材
５・・・・・・・・・・・蓋用ロック部材
５ｃ・・・・・・・・・・飛び出し防止用突起
５ｄ・・・・・・・・・・乗り越え突起
６・・・・・・・・・・・側壁用ロック部材
６ｆ・・・・・・・・・・係合部
７・・・・・・・・・・・ロック部材取付用カバー部材
【図１】
2006160315.tif 000003
【図２】
2006160315.tif 000004
【図３】
2006160315.tif 000005
【図４】
2006160315.tif 000006
【図５】
2006160315.tif 000007
【図６】
2006160315.tif 000008
【図７】
2006160315.tif 000009
【図８】
2006160315.tif 000010
【図９】
2006160315.tif 000011
【図１０】
2006160315.tif 000012
【図１１】
2006160315.tif 000013
【図１２】
2006160315.tif 000014
【図１３】
2006160315.tif 000015
【図１４】
2006160315.tif 000016
【図１５】
2006160315.tif 000017
【図１６】
2006160315.tif 000018
【図１７】
2006160315.tif 000019
【図１８】
2006160315.tif 000020
【図１９】
2006160315.tif 000021
【図２０】
2006160315.tif 000022
【図２１】
2006160315.tif 000023
【図２２】
2006160315.tif 000024
【図２３】
2006160315.tif 000025
【図２４】
2006160315.tif 000026
【図２５】
2006160315.tif 000027
【図２６】
2006160315.tif 000028
【図２７】
2006160315.tif 000029
【図２８】
2006160315.tif 000030
【図２９】
2006160315.tif 000031
【図３０】
2006160315.tif 000032
【図３１】
2006160315.tif 000033
【図３２】
2006160315.tif 000034
【図３３】
2006160315.tif 000035
【図３４】
2006160315.tif 000036
【図３５】
2006160315.tif 000037
【図３６】
2006160315.tif 000038
【図３７】
2006160315.tif 000039
【図３８】
2006160315.tif 000040
【図３９】
2006160315.tif 000041
【図４０】
2006160315.tif 000042
【図４１】
2006160315.tif 000043